(57)【要約】  ボール競技装置の外部構成要素と通信するための通信アンテナ（４０）を含む回路、リング形状の内部ホルダー部材（２０）であって、前記回路の構成要素がリング内に位置付けられ、少なくとも１つのコイル要素（３０）がリングの外部に位置付けられた、内部ホルダー部材（２０）を含む、ゴルフボール（１０）。
2018527136.tif 000002
【特許請求の範囲】
【請求項１】
ボール競技装置において用いるためのボール（１０）であって、
前記ボール競技装置の外部構成要素と通信するための通信アンテナ（４０）を含む回路、
リング形状の内部ホルダー部材（２０）であって、前記回路の構成要素が前記リング内に位置付けられ、少なくとも１つのコイル要素（３０）が前記リングの外部に位置付けられた、内部ホルダー部材（２０）を含む、ボール（１０）。
【請求項２】
前記コイル要素（３０）自体が前記通信アンテナ（４０）であり、前記コイル要素（３０）が、前記リングの周りに少なくとも部分的に巻回された、請求項１に記載のボール（１０）。
【請求項３】
前記コイル要素（３０）が、前記回路内に含まれた電池（２２）を充電するための充電コイルである、請求項１または２に記載のボール（１０）。
【請求項４】
前記ホルダー部材（２０）が、略円形状の部材である、請求項１〜３のいずれかに記載のボール（１０）。
【請求項５】
前記ボール（１０）が、前記回路内に含まれたか、または前記回路に結合された１つ以上のセンサー要素を含む、請求項１〜４のいずれかに記載のボール（１０）。
【請求項６】
さらに１つ以上の釣り合いおもり（４４）を備える、請求項１〜５のいずれかに記載のボール（１０）。
【請求項７】
前記回路をオンおよびオフに切り替えるための磁気操作スイッチをさらに備える、請求項１〜６のいずれかに記載のボール（１０）。
【請求項８】
前記回路が、前記それぞれのボールを識別するコードを記憶するためのメモリを含む、請求項１〜７のいずれかに記載のボール（１０）。
【請求項９】
前記回路が、前記ボールが受けたアクションに関するデータを記憶するためのメモリを含む、請求項１〜８のいずれかに記載のボール（１０）。
【請求項１０】
前記メモリが、前記ボール競技装置の近辺から前記ボールを移動させようとする場合、そのデータを消去させるように構成される、請求項９に記載のボール（１０）。
【請求項１１】
ゴルフ設備を操作する方法であって、
ボール競技装置で用いるボール（１０）を含めることを含み、前記ボールが、
前記ボール競技装置の外部構成要素と通信するための通信アンテナ（４０）を含む回路、
リング形状の内部ホルダー部材（２０）であって、前記回路の構成要素が前記リング内に位置付けられ、少なくとも１つのコイル要素（３０）が前記リングの外部に位置付けられた、内部ホルダー部材（２０）を含む、方法。
【請求項１２】
前記ボール（１０）が、前記ボール（１０）が受けたアクションに関するデータを記憶するためのメモリを含む、請求項１１に記載の方法。
【請求項１３】
前記データが、前記ボール競技装置の近辺から前記ボール（１０）を移動させようとする場合、消去される、請求項１２に記載の方法。
【発明の詳細な説明】
【背景技術】
【０００１】
本発明は、競技用のボール、特にＷＯ２０１３／１５６７７８において開示されるようなゴルフ競技などの、競技において用いるためのコード化されたボールに関する。
【発明の概要】
【発明が解決しようとする課題】
【０００２】
上記特許出願において開示されたボールは、多少概略的に示される。本発明の態様は、外観および挙動が従来型のボールにできるだけ近く類似するコード化されたボールを提供することを目指す。本発明のさらなる態様は、効率的および信頼できる様式でボール競技装置の他の構成要素と通信するアンテナを有するボールを提供することを目指す。本発明の他の態様は、効率的および信頼できる様式でボール内の電池を充電するために使用され得る、ボール内の充電コイルを提供することを目指す。加えて本発明の態様は、内部にある構成要素が適所にしっかりと位置付けられ、かつ使用中の強い衝撃および可能性のある酷使に堪え得る、ボールを提供することを目指す。
【課題を解決するための手段】
【０００３】
本発明の第１の態様に従って、ボール競技装置の外部構成要素と通信するための通信アンテナを含む回路を備える、ボール競技装置において用いるためのボールが提供され、ボールは、リング形状の内部ホルダー部材を含み、回路の構成要素がリング内に位置付けられ、少なくとも１つのコイル要素がリングの外部に位置付けられている。
【０００４】
コイル要素は、それ自体が通信アンテナとなってもよく、リングの周りに少なくとも部分的に巻回される。
【０００５】
代替的に、コイル要素は、回路内に含まれた電池を充電するための充電コイルとなり得る。
【０００６】
ボールはまた、回路内に含まれたか、または回路と結合された１つ以上のセンサー要素を含有し得る。
【０００７】
ボールはまた、ボールが均一にバランスをとることを可能にするための１つ以上の釣り合いおもりも含み得る。
【０００８】
本発明の第２の態様に従って、ボール競技装置の外部構成要素と通信するための通信アンテナ、リング内に回路が位置付けられている構成要素、およびリングの外部に位置付けられた少なくとも１つのコイル要素を有するリング形状の内部ホルダー部材を含む回路、を含むボール競技装置において用いるボールを含む、ゴルフ設備を操作する方法が提供される。
【０００９】
ボールは、データを記憶するためのメモリを組み込むことができ、データはボールが設備から移動される場合消去可能である。
【００１０】
本発明の好ましい実施形態を、これより添付の図面を参照して、単なる例として記載する。
【図面の簡単な説明】
【００１１】
【図１】本発明の実施形態に従うボールの断面図である。
【図２】図１の図に対して直角の方向で見られる図１のボールの断面図である。
【図３】図１および２のボールの実質的に中心に位置付けされる、使用中の、ホルダー部材のそれぞれ正面斜視図および背面斜視図である。
【図４】図１および２のボールの実質的に中心に位置付けされる、使用中の、ホルダー部材のそれぞれ正面斜視図および背面斜視図である。
【図５】互いに直角で見られる図３および４のホルダー部材の側面図である。
【図６】互いに直角で見られる図３および４のホルダー部材の側面図である。
【図７】ホルダー部材の背面図である。
【発明を実施するための形態】
【００１２】
図１および２は、ゴルフボール競技装置に用いるコード化されたゴルフボール１０の形状のハウジングを示す。ボールは、間に中央キャビティ１６を画定する２つの嵌合部１２、１４に成形される。キャビティ内に位置付けられるのは、ボール１０内の様々な構成要素のための略円形の円筒状ホルダー２０である。ホルダーは、真空成形のプラスチック材料からなり、ボール内の回路を操作するための再充電可能な電池２２を囲む。電池は、ニッケル−金属−水素化物電池である。ハウジングは、従来型のゴルフボールの直径に対応する、４２．８ｍｍの直径を有し、ディンプル付きの外装を有する。回路は、ｐｃｂ２４上に取り付けられる。
【００１３】
電池２２は、ボールの外装から誘導技術によって充電され、充電コイル３０は、ホルダー２０の周りに巻回される。ブルートゥース（登録商標）または他のアンテナ４０がまた、ホルダー２０の周りに巻回され、ボール内の回路とボールが使用されるボール競技装置の他の構成要素との間の通信を容易にする。
【００１４】
ホルダー２０は、ゴルフボールの実質的に中心に取り付けられる。ボールはまた、ＷＯ２０１３／１５６７７８において開示されたタイプの１つ以上のセンサーを含有する。釣り合いおもり４４は、ボールが均一にバランスをとり、従来型のゴルフボールのように転がるように提供される。ボールはまた、その回路をオンおよびオフに切り替えるための、磁気操作スイッチ４６を有する。
【００１５】
回路は、それぞれのボールを識別するコードを記憶するメモリデバイスを含む。さらなるメモリスペースは、ボールが受けてきたストロークまたはその他のアクションの履歴に関するデータを、少なくとも前回そのようなデータがボール競技装置の外部デバイスに保持された中央データベースにダウンロードされた以降の分を、一時的に記憶する。ボールの最新の動きに関するこのデータは、その動きの間のそれぞれの速度および方向についてのデータを含む。
【００１６】
ボールが割り当てられた特定のプレーヤーの識別などの、ボールに関する他のデータは、外部データベースに記憶される。
【００１７】
メモリのうちのいくつか、または全ては、例えば、許可されていない様式のボール競技装置の近辺からボールを移動させようとする場合など、そのデータを消去させるように構成され得る。
【００１８】
ボールでプレイされた競技と競技との間に、ボールは、電池２２を低率または高率で充電することが可能な電池−充電ラック内の充電配置に配置される。ボール内の回路は、その電池の充電状態を検出し、ラックが高率または低率で適切に電池を充電することを可能とするための手段を含む。
【００１９】
データベース中のメモリスペースの一部は、各ボールの電池が受けてきたフル充電サイクルの数のカウントを記憶する。閾値に達するとき、電池は、その耐用寿命の限度に達したと判断される。電池の早期消耗を防止するために、充電手順は、電池がラック上に配置されるとき電池の充電がすでに所定の閾値より上にある場合、カウントされない。
【００２０】
上記で記載された配置の利点は、ホルダー２０に強固に取り付けられることによって、ボールの構成要素が、ゴルフボールの使用中に受ける衝撃による損傷から保護されることである。コイル３０をホルダー２０の周りに配置することによって、外部誘導領域は、ボールの全ての相対方位において効果的に結合することができ、ボール以外の他の構成要素は、そのような結合を遮蔽しない。類似のことが、アンテナ４０との外部通信にも適用され、すなわち全方位性となる。
【００２１】
ホルダー２０の円形状および釣り合いおもり４４と他の構成要素の構成により、ボールが均一にバランスをとることを確実とする。
【００２２】
様々な修正が、上記で記載されたボールになされ得る。
【００２３】
例えば、ボールが割り当てられたプレーヤーの識別などの、ボールに関する付加的なデータは、装置の中央データベースの代わりに、または装置の中央データベースに追加して、ボールそのものに記憶され得る。
【００２４】
ホルダー２０は、略四角または他の所望の形状となり得る。２つ以上の釣り合いおもり４４が、提供され得る。１つ以上の釣り合いおもりは、ホルダー２０に統合されるより、ホルダー２０から分離されて位置付けられ得る。
【００２５】
磁気スイッチ４６は、省略され得る。この場合、回路は、代替的な方法によってオンおよびオフに切り替えられ得る。このことは、ボールが、例えば電圧増加が充電コイル３０を介して検出されることによって、充電および／または起動デバイス内に配置されるときを検出することによってなされ得る。
【００２６】
ボールの特徴は、その全ての内容が、参照によって本明細書に組み込まれる、ＷＯ２０１３／１５６７７８および／または同時係属中の特許出願第ＧＢ１５１２０３７．１号、名称Ｂａｌｌ  Ｇａｍｅ  Ａｐｐａｒａｔｕｓにおいて開示された特徴のうちのいずれかによって組み合わせられ、または修正され得る。
【図１】
2018527136.tif 000003
【図２】
2018527136.tif 000004
【図３】
2018527136.tif 000005
【図４】
2018527136.tif 000006
【図５】
2018527136.tif 000007
【図６】
2018527136.tif 000008
【図７】
2018527136.tif 000009
【国際調査報告】
2018527136.tif 000010
2018527136.tif 000011